(57)【要約】【課題】建築物内部、外部、あるいは移動物や人などの周囲の環境雰囲気濃度を簡便に測定し記録することができる環境雰囲気濃度記録装置、およびリアルタイム測定を可能にする環境雰囲気濃度データ収集システムを提供する。【解決手段】環境の影響によって変色層の長さが変化するセンサと、センサの変色層の長さを測定する測定手段と、測定手段が測定した変色層の長さを、環境雰囲気濃度に換算して記録する記録装置とを備えている。センサは環境雰囲気との反応によって変色する物質を充填した検知管１であり、測定手段は、センサの変色層の長さを測定する一つの反射型フォトセンサ２である。【選択図】  図１
2004340765.tif 000002
【特許請求の範囲】
【請求項１】
環境の影響によって変色層の長さが変化するセンサと、
前記センサの変色層の長さを測定する測定手段と、
前記測定手段が測定した変色層の長さを、環境雰囲気濃度に換算して記録する記録装置とを備えていることを特徴とする環境雰囲気濃度記録装置。
【請求項２】
前記センサは環境雰囲気との反応によって変色する物質を充填した検知管（１）であることを特徴とする請求項１に記載の環境雰囲気濃度記録装置。
【請求項３】
前記測定手段は、前記センサの変色層の長さを測定する一つの反射型フォトセンサ（２）であることを特徴とする請求項１または２に記載の環境雰囲気濃度記録装置。
【請求項４】
前記測定手段は、前記センサの変色層の長さを測定する複数のセンサからなる反射型フォトセンサアレイ（１１）であることを特徴とする請求項１または２に記載の環境雰囲気濃度記録装置。
【請求項５】
前記測定手段は、前記センサの変色層の長さを測定する一つの透過型フォトセンサ（２１）であることを特徴とする請求項１または２に記載の環境雰囲気濃度記録装置。
【請求項６】
前記測定手段は、前記センサの変色層の長さを測定する複数のセンサからなる透過型フォトセンサアレイ（３１）であることを特徴とする請求項１または２に記載の環境雰囲気濃度記録装置。
【請求項７】
前記測定手段は、前記センサに沿って配置された抵抗器（４１Ａ）と、この抵抗器に沿って移動可能なスライダ（４１Ｂ）とを備え、
スライダ（４１Ｂ）の移動位置に対応する可変抵抗値によって、前記変色層の長さを測定することを特徴とする請求項１または２に記載の環境雰囲気濃度記録装置。
【請求項８】
前記検知管（１）は吸引式サンプラ（５１）に接続されていることを特徴とする請求項２〜７のいずれか１項に記載の環境雰囲気濃度記録装置。
【請求項９】
前記検知管（６１）は自然拡散式であることを特徴とする請求項２〜７のいずれか１項に記載の環境雰囲気濃度記録装置。
【請求項１０】
環境雰囲気濃度を測定して記録する請求項１〜９のいずれかに記載の環境雰囲気濃度記録装置（７１Ａ）と、
前記環境雰囲気濃度記録装置（７１Ａ）に記録された装置のＩＤ、測定時刻、測定場所、環境雰囲気濃度データを通信回線（７２）に送信する通信装置（７１Ｂ）と、
前記通信回線（７２）を経由した前記通信装置（７１Ｂ）からの装置のＩＤによって、測定時刻、測定場所、環境雰囲気濃度データ受信する受信装置（７３）とを備えることを特徴とする環境雰囲気濃度データ収集システム。
【請求項１１】
環境雰囲気濃度を測定して記録する請求項１〜９のいずれかに記載の環境雰囲気濃度記録装置（８１Ａ）と、
前記環境雰囲気濃度記録装置（８１Ａ）に記録された装置のＩＤ、測定時刻、測定場所、環境雰囲気濃度データを送信する近距離無線送信機（８１Ｂ）と、
前記近距離無線送信機（８１Ｂ）からの装置のＩＤによって、測定時刻、測定場所、環境雰囲気濃度データ受信する近距離無線受信機（８２）とを備えることを特徴とする環境雰囲気濃度データ収集システム。
【発明の詳細な説明】
【０００１】
【発明の属する技術分野】
本発明は、環境雰囲気成分の濃度を計測し記録する装置に関し、特に環境雰囲気濃度を記録する環境雰囲気濃度記録装置、およびそのデータを遠隔地に送信する環境雰囲気濃度データ収集システムに関する。
【０００２】
【従来の技術】
近年、揮発性有機化合物の濃度を高感度に計測したり、二酸化窒素の濃度を高感度に計測する要望が高まっている。揮発性有機化合物は、住宅内の家具・建材などから発生し、シックハウス症候群の原因と考えられている。二酸化窒素は、都市環境における自動車排気ガスなどにより発生する。また、そのような化合物に人が実際にどのくらい曝露されているかを計測する必要もある。
【０００３】
従来、揮発性有機化合物や二酸化窒素のような計測を行うものとして、環境雰囲気をサンプルし、それをガスクロマトグラフィー法などで分析する方法がある（例えば下記の文献１）。また、雰囲気中の各種ガス、例えばトルエン、キシレン、ホルムアルデヒド等のガスの濃度の測定に検知管が用いられている（例えば下記の文献２）。この方法は文献１に記載されている分析装置に比較して簡便、安価であることが特徴として挙げられる。さらに、検知管の変色層の長さをカメラにて撮影し、その長さを画像処理で計測するものがある（例えば下記の文献３）。
文献１：島津製作所製ガスクロマトグラフＧＣ−２０１０
ｈｔｔｐ：／／ｗｗｗ．ａｎ．ｓｈｉｍａｄｚｕ．ｃｏ．ｊｐ／ｐｒｏｄｕｃｔｓ／ｇｃ／ｇｃ２０１０．ｈｔｍ
文献２：特開２００２−３６５２７５
拡散式ガス濃度検知管
文献３：特開２００２−１３１３０５
検知管を用いる複数成分濃度の同時測定方法及びその測定装置
【０００４】
【発明が解決しようとする課題】
しかし、先に述べた従来の技術には以下のような問題があった。すなわち、ガスクロマトグラフィーなどの分析装置（文献１）は高価かつ操作が複雑で、一般の人が容易に使用することはできない。検知管を用いた方法（文献２）は安価かつ操作も容易であるが、測定値を目視で読み取り、その値を手動で記録しなければならない。たとえば、電子媒体に測定値を記録する場合、別途、記録機器を用意し、キーボードあるいはマウスなどにて値を入力する必要がある。検知管の変色層の長さをカメラと画像処理にて計測する方法（文献３）は測定値を自動で読み取ることができるが、装置は大型で高価であり、一般の人が家庭などで使用できるものではない。
【０００５】
また、文献１、文献２、および文献３のいずれに記載された技術も、移動体、人などが携帯して、環境雰囲気濃度データをリアルタイムで通信できるものではない。
【０００６】
本発明は、前記の課題を解決し、建築物内部、外部、あるいは移動物や人などの周囲の環境雰囲気濃度を簡便に測定し記録することができる環境雰囲気濃度記録装置、およびリアルタイム測定を可能にする環境雰囲気濃度データ収集システムを提供することにある。
【０００７】
【課題を解決するための手段】
前記課題を解決するために、請求項１の発明は、環境の影響によって変色層の長さが変化するセンサと、前記センサの変色層の長さを測定する測定手段と、前記測定手段が測定した変色層の長さを、環境雰囲気濃度に換算して記録する記録装置とを備えていることを特徴とする環境雰囲気濃度記録装置である。
請求項２の発明は、請求項１に記載の環境雰囲気濃度記録装置において、前記センサは環境雰囲気との反応によって変色する物質を充填した検知管であることを特徴とする。
請求項３の発明は、前記測定手段は、請求項１または２に記載の環境雰囲気濃度記録装置において、前記センサの変色層の長さを測定する一つの反射型フォトセンサであることを特徴とする。
請求項４の発明は、請求項１または２に記載の環境雰囲気濃度記録装置において、前記測定手段は、前記センサの変色層の長さを測定する複数のセンサからなる反射型フォトセンサアレイであることを特徴とする。
請求項５の発明は、請求項１または２に記載の環境雰囲気濃度記録装置において、前記測定手段は、前記センサの変色層の長さを測定する一つの透過型フォトセンサであることを特徴とする。
請求項６の発明は、請求項１または２に記載の環境雰囲気濃度記録装置において、前記測定手段は、前記センサの変色層の長さを測定する複数のセンサからなる透過型フォトセンサアレイであることを特徴とする。
請求項７の発明は、請求項１または２に記載の環境雰囲気濃度記録装置において、前記測定手段は、前記センサに沿って配置された抵抗器と、この抵抗器に沿って移動可能なスライダとを備え、スライダの移動位置に対応する可変抵抗値によって、前記変色層の長さを測定することを特徴とする。
請求項８の発明は、請求項２〜７のいずれか１項に記載の環境雰囲気濃度記録装置において、前記検知管は吸引式サンプラに接続されていることを特徴とする。
請求項９の発明は、請求項２〜７のいずれか１項に記載の環境雰囲気濃度記録装置において、前記検知管は自然拡散式であることを特徴とする。
請求項１０の発明は、環境雰囲気濃度を測定して記録する請求項１〜９のいずれかに記載の環境雰囲気濃度記録装置と、前記環境雰囲気濃度記録装置に記録された装置のＩＤ、測定時刻、測定場所、環境雰囲気濃度データを通信回線に送信する通信装置と、前記通信回線を経由した前記通信装置からの装置のＩＤによって、測定時刻、測定場所、環境雰囲気濃度データ受信する受信装置とを備えることを特徴とする環境雰囲気濃度データ収集システムである。
請求項１１の発明は、環境雰囲気濃度を測定して記録する請求項１〜９のいずれかに記載の環境雰囲気濃度記録装置と、前記環境雰囲気濃度記録装置に記録された装置のＩＤ、測定時刻、測定場所、環境雰囲気濃度データを送信する近距離無線送信機と、前記近距離無線送信機からの装置のＩＤによって、測定時刻、測定場所、環境雰囲気濃度データ受信する近距離無線受信機とを備えることを特徴とする環境雰囲気濃度データ収集システムである。
【０００８】
本発明によれば、検知管の変色層の長さを反射型フォトセンサあるいは透過型フォトセンサにて自動で測定、あるいは検知管の変色層の長さを可変抵抗にて測定し記録する環境雰囲気濃度記録装置と、通信機能にて環境雰囲気濃度データを送信する環境雰囲気濃度データ収集システムとを提供することを可能にする。つまり、本発明の環境雰囲気濃度記録装置は、前記の構成にすることによって、それが設置された環境の雰囲気濃度を記録することができる、安価な環境雰囲気濃度記録装置の提供を可能とする。これにより、この環境雰囲気濃度記録装置を建築物内部、外部、あるいは移動物、人などに付け、その環境雰囲気濃度を記録することができる。
【０００９】
具体的には、環境の影響によって変色層の長さが変化するセンサ、例えばガス検知管において、その変色層の長さを反射型フォトセンサまたは透過型フォトセンサにて自動的に読み取ることにより、環境雰囲気濃度を自動にて記録することを特徴とする。ガス検知管の変色層の色は、例えば検知雰囲気濃度が十分低い場合、薄い肌色のものが高濃度では鮮やかな青色に変化するので、反射型フォトセンサあるいは透過型フォトセンサにてその色の変化を感度よく検知することができる。
【００１０】
また、本発明の環境雰囲気濃度記録装置は、環境の影響によって変色層の長さが変化するセンサ、例えばガス検知管において、その変色層の長さを可変抵抗にて読み取ることにより、環境雰囲気濃度を記録することを特徴とする。変色層の長さをスライドボリュームなどで用いられる可変抵抗によって手動で計り、その抵抗値をＡＤ変換しメモリなどに記録することにより、環境雰囲気濃度を記録できる。
【００１１】
さらに、環境雰囲気濃度データ収集システムは、ある場所、移動体、人などに取り付けた環境雰囲気濃度記録装置の環境雰囲気濃度データを、通信機能にて送信・データ収集することを特徴とする。
【００１２】
【発明の実施の形態】
つぎに、本発明の実施の形態について、図面を参照して詳しく説明する。
［実施の形態１］
本実施の形態による環境雰囲気濃度記録装置（以下、反射型フォトセンサ式濃度記録装置という）を図１に示す。この反射型フォトセンサ式濃度記録装置は、ガス検知管１、反射型フォトセンサ２、電流―電圧変換回路３、ＡＤ（アナログ―デジタル）変換回路４、およびメモリ５を備えている。本実施の形態では、反射型フォトセンサ２が測定手段である測定部を構成し、電流―電圧変換回路３とＡＤ変換回路４とメモリ５とによって記録装置が構成されている。
【００１３】
ガス検知管１は、環境の影響によって変色層の長さが変化するセンサである。このために、図２に示すように、ガス検知管１はガラス管１Ａと検知部１Ｂとで構成されている。ガラス管１Ａは棒状の透明なガラス製の管である。ガラス管１Ａの内部には、検知部１Ｂが設けられている。検知部１Ｂは環境の影響によって変色層１Ｂ１の長さが変化する。つまり、検知部１Ｂはガラス管１Ａ内を矢印Ｇ方向に流れる測定対象のガスによって変色し、変色によって形成された変色層１Ｂ１の長さＬが、このガスの濃度と共に変化する。したがって、変色層１Ｂ１の長さＬが測定対象のガスの濃度を示す。なお、図示を省略しているが、ガラス管１Ａの両端には、ガスを通すための孔が開けられている。このようなガス検知管１としては、ガステック社製のホルムアルデヒド用ガス検知管９１ＬＬなどがある。この場合、検知限度は０．０３ｐｐｍであり、ガスを検知すると変色層が黄褐色から赤褐色に変化する。
【００１４】
反射型フォトセンサ２は、発光素子２Ａと受光素子２Ｂとを備え、ガス検知管１の変色層１Ｂ１を検出する。つまり、反射型フォトセンサ２の発光素子２Ａは、ガス検知管１の検知部１Ｂに向けて発光する。受光素子２Ｂは、検知部１Ｂで反射された光を受光する。このとき、検知部１Ｂの変色層１Ｂ１の長さに応じて検知部１Ｂから反射される光量が変化し、受光素子２Ｂの出力電流である検出電流が変化する。反射型フォトセンサ２としては、オムロン社製の反射型フォト・マイクロセンサＥＥ−ＳＹがあり、発光素子と受光素子とが一体化したものである。検出光としては赤外光や可視光を使用する。
【００１５】
電流―電圧変換回路３は、反射型フォトセンサ２の受光素子２Ｂの検出電流を電圧に変換して検出電圧として出力する。ＡＤ変換回路４は、電流―電圧変換回路３からの検出電圧をデジタル化して検出信号として出力する。メモリ５は、濃度換算機能を持つＣＰＵ付きのメモリであり、ＡＤ変換回路４からの検出信号を環境雰囲気濃度に変換して環境雰囲気濃度データとして記憶する。
【００１６】
本実施の形態による反射型フォトセンサ式濃度記録装置は前記の構成である。つぎに、この反射型フォトセンサ式濃度記録装置の動作について述べる。ガス検知管１の検知部１Ｂは環境の影響によって変色層１Ｂ１の長さが変化する。反射型フォトセンサ２の発光素子２Ａからの光が、ガス検知管１の検知部１Ｂより反射されて、受光素子４で受光される。このとき、ガス検知管１の検知部１Ｂ内部の変色層１Ｂ１が変色すると、受光素子２Ｂで受光される光量が変化し、受光素子４の出力電流が変化する。反射型フォトセンサ２の検出電流は電流―電圧変換回路３より電圧に変換され、ＡＤ変換回路４によりデジタル化された後、濃度換算機能を持つＣＰＵ付きのメモリ５に環境雰囲気濃度データとして記憶される。
【００１７】
こうして、本実施の形態により、環境の影響によってガス検知管１の変色層１Ｂ１の長さを基にした環境雰囲気濃度データをメモリ５に記憶するので、周囲の環境雰囲気濃度データを自動的に収集することができる。
【００１８】
［実施の形態２］
本実施の形態による環境雰囲気濃度記録装置（以下、反射型フォトセンサ式濃度記録装置という）を図３に示す。この反射型フォトセンサ式濃度記録装置は、ガス検知管１、センサアレイ１１、電流―電圧変換回路１２１〜１２ｎ、ＡＤ変換回路１３１〜１３ｎ、および演算回路１４を備えている。なお、先に説明した図１と同一または同一と見なされる構成要素には、図１と同じ参照符号を付けてその説明を省略する。本実施の形態では、センサアレイ１１が測定手段である測定部を構成し、電流―電圧変換回路１２１〜１２ｎとＡＤ変換回路１３１〜１３ｎと演算回路１４とによって記録装置が構成されている。
【００１９】
センサアレイ１１は、反射型フォトセンサ１１１〜１１ｎによって構成されている。反射型フォトセンサ１１１〜１１ｎは図１の反射型フォトセンサ２とそれぞれ同じものである。本実施の形態では、反射型フォトセンサ１１１〜１１ｎはガス検知管１の長手方向に沿って所定間隔で配置されている。これによって、センサアレイ１１はガス検知管１の変色層１Ｂ１を正確に検出する。
【００２０】
電流―電圧変換回路１２１〜１２ｎは図１の電流―電圧変換回路３とそれぞれ同じであり、ＡＤ変換回路１３１〜１３ｎは図１のＡＤ変換回路４とそれぞれ同じであるので、説明を省略する。もちろん、反射型フォトセンサ１１１〜１１ｎの出力をアナログスイッチ等で切り替えて、１つの電流―電圧変換回路とＡＤ変換回路で済ませることも可能である。
【００２１】
演算回路１４は、濃度換算機能を持つＣＰＵ付きのメモリを内部に備え、ＡＤ変換回路１３１〜１３ｎからの検出信号を処理する。演算回路１４は、各検出信号からガス検知管１の変色層１Ｂ１の長さを算出する。具体的には、ＡＤ変換回路１３１〜１３ｎからの検出信号の値をｓ１、ｓ２、・・・、Ｓｎとするとき、演算回路１４は、
（ｓ１＋ｓ２＋・・・Ｓｎ）／ｎ  …（１）
の値を算出し、この値を変色層１Ｂ１の長さに換算する。そして、演算回路１４は、算出した変色層１Ｂ１の長さを濃度換算機能によって環境雰囲気濃度データに変換してメモリに記憶する。
【００２２】
本実施の形態によれば、反射型フォトセンサ１１１〜１１ｎを複数用いたセンサアレイ１１により、ガス検知管１の変色層１Ｂ１の長さを精密に計測するもので、式（１）で算出した値を変色層の長さに換算することにより、正確な濃度測定が可能となる。反射型フォトセンサを一つだけ使用する場合は濃度がある値を越えたときを検知することができるが、複数使用することにより、濃度測定の分解能を高めることができる。
【００２３】
［実施の形態３］
本実施の形態による環境雰囲気濃度記録装置（以下、透過型フォトセンサ式濃度記録装置という）を図４に示す。この透過型フォトセンサ式濃度記録装置は、ガス検知管１、透過型フォトセンサ２１、電流―電圧変換回路３、ＡＤ変換回路４、およびメモリ５を備えている。なお、先に説明した図１と同一または同一と見なされる構成要素には、図１と同じ参照符号を付けてその説明を省略する。本実施の形態では、透過型フォトセンサ２１が測定手段である測定部を構成する。
【００２４】
透過型フォトセンサ２１は、発光素子２１Ａと受光素子２１Ｂとを備え、ガス検知管１からの透過光により、ガス検知管１の変色層１Ｂ１を検出する。つまり、透過型フォトセンサ２１の発光素子２１Ａは、ガス検知管１の検知部に向けて発光する。受光素子２１Ｂは、ガス検知管１を中心にして発光素子２１Ａと向かい合うように配置されている。受光素子２１Ｂは、検知部を透過した、発光素子２１Ａからの光を受光する。そして、実施の形態１の受光素子２Ｂと同じように、検出電流を出力する。透過型フォトセンサ２１としては、たとえば、オムロン社製の透過型フォト・マイクロセンサＥＥ−ＳＸがあり、発光素子と受光素子とが一体化したものである。検出光としては赤外光や可視光を使用する。
【００２５】
本実施の形態によれば、ガス検知管１の変色層１Ｂ１の長さを透過型フォトセンサ２１により計測するもので、透過型フォトセンサ２１内部の発光素子２１Ａからの光がガス検知管１を透過すると、透過光を受光素子２１Ｂが受光する。ガス検知管１内部の変色層１Ｂ１が変色して長さが変化すると、受光素子２１Ｂで受光する光量が変化し、受光素子２１Ｂの出力電流が変化する。透過型フォトセンサ２１の出力は、電流−電圧変換回路３より電圧に変換され、ＡＤ変換回路４によりデジタル化されたのち、濃度換算機能を持つＣＰＵ付きのメモリ５に環境雰囲気濃度データとして記憶される。
【００２６】
こうして、本実施の形態により、実施の形態１と同じように、環境の影響によってガス検知管１の変色層１Ｂ１の長さを基にした環境雰囲気濃度データをメモリ５に記憶するので、周囲の環境雰囲気濃度データを自動的に収集することができる。
【００２７】
［実施の形態４］
本実施の形態では、実施の形態２のセンサアレイ１１の代わりに、図５に示すセンサアレイ３１を用いている。センサアレイ３１は、透過型フォトセンサ３１１〜３１ｎで構成されている。透過型フォトセンサ３１１〜３１ｎは実施の形態３の透過型フォトセンサ２１とそれぞれ同じである。本実施の形態では、透過型フォトセンサ３１１〜３１ｎはガス検知管１の長手方向に沿って所定間隔で配置されている。これによって、センサアレイ３１はガス検知管１の変色層１Ｂ１を正確に検出する。本実施の形態では、センサアレイ３１が測定手段である測定部を構成している。
【００２８】
本実施の形態により、透過型フォトセンサを複数用いたセンサアレイ３１により、ガス検知管１の変色層１Ｂ１の長さを精密に計測するもので、実施の形態２と同じように、透過型フォトセンサ３１１〜３１ｎの出力をｓ１、ｓ２、・・・、Ｓｎとするとき、
（ｓ１＋ｓ２＋・・・Ｓｎ）／ｎ
の値を変色層１Ｂ１の長さに換算する。これにより、正確な濃度測定が可能となる。透過型フォトセンサを一つだけ使用する場合は濃度がある値を越えたときを検知することができるが、複数使用することにより、濃度測定の分解能を高めることができる。
【００２９】
［実施の形態５］
本実施の形態による環境雰囲気濃度記録装置（以下、可変抵抗式濃度記録装置という）を図６に示す。図６の可変抵抗式濃度記録装置は、ガス検知管１、可変抵抗４１、抵抗―電圧変換回路４２、ＡＤ変換回路４、およびメモリ５を備えている。なお、先に説明した図１と同一または同一と見なされる構成要素には、図１と同じ参照符号を付けてその説明を省略する。本実施の形態では、可変抵抗４１が測定手段である測定部を構成し、抵抗―電圧変換回路４２とＡＤ変換回路４とメモリ５とによって記録装置が構成されている。
【００３０】
可変抵抗４１は抵抗器４１Ａとスライダ４１Ｂとで構成されている。抵抗器４１Ａは、一端４１Ａ１から他端４１Ａ２までの値が一定である。抵抗器４１Ａはガス検知管１の検知部１Ｂに沿って配置されている。スライダ４１Ｂは抵抗器４１Ａと接触を保ちながらガラス管１Ａに沿って動かされる。ガス検知管１の変色層１Ｂ１の先端にスライダ４１Ｂが動かされると、そのときの抵抗器４１Ａの一端４１Ａ１とスライダ４１Ｂとの間の抵抗値が、変色層１Ｂ１の長さに対応する。
【００３１】
つまり、可変抵抗４１は、ガス検知管１の変色層１Ｂ１の長さを計測するもので、測定者が変色層１Ｂ１の長さを直読し、可変抵抗４１のスライド４１Ｂを変色層１Ｂ１の長さに合わせることにより、変色層１Ｂ１の長さ、すなわちガス濃度を抵抗値に変換する。このような可変抵抗としては、松下電子部品社のスライドボリュームＥＷＡなどで構成できる。
【００３２】
抵抗―電圧変換回路４２は、可変抵抗４１の抵抗値、つまりガス濃度を示す抵抗値を電圧に変換して検出電圧として出力する。ＡＤ変換回路４とメモリ５とは実施の形態１と同じであり、抵抗−電圧変換回路４２にて変換された検出電圧をＡＤ変換回路４がデジタル化した後、濃度換算機能を持つＣＰＵ付きのメモリ５が環境雰囲気濃度データ記憶する。
【００３３】
こうして、本実施の形態により、実施の形態１と同じように、環境の影響によってガス検知管１の変色層１Ｂ１の長さを基にした環境雰囲気濃度データをメモリ５に記憶するので、周囲の環境雰囲気濃度データを自動的に収集することができる。
【００３４】
［実施の形態６］
本実施の形態では、実施の形態５のガス検知管１を吸引式としている。つまり、図７に示すように、ガス検知管１に吸引式サンプラ５１が取り付けられている。吸引式サンプラ５１の取っ手５１Ａを矢印Ａ方向および逆方向の上下に動かしてガス検知管１にガスを吸引し、ガス検知管１が変色した後、スライド４１Ｂにて変色層１Ｂ１の長さを作業者が直読する。このとき、例えば記憶ボタンなどを押して測定時刻とガス濃度とを記憶させる。
【００３５】
実施の形態５の可変抵抗式濃度記録装置の代わりに、実施の形態１、２の反射型フォトセンサ式濃度記録装置、実施の形態３、４の透過型フォトセンサ式濃度記録装置を用いることも、もちろん可能である。
【００３６】
［実施の形態７］
本実施の形態ではガス検知管として図８に示す自然拡散式ガス検知管６１を用いる。つまり、自然拡散式ガス検知管６１に対して、図８（ａ）に示すように実施の形態１または実施の形態２による測定部６２と記録装置６３とを用いて、反射型フォトセンサ式濃度記録装置を構成し、あるいは、自然拡散式ガス検知管６１に対して、図８（ｂ）に示すように、実施の形態３または実施の形態４による測定部６４と記録装置６５とを用いて、透過型フォトセンサ式濃度記録装置を構成した例である。自然拡散式ガス検知管６１としては、ガステック社製パッシブ・ドジチューブがある。
【００３７】
本実施の形態による反射型フォトセンサ式濃度記録装置または透過型フォトセンサ式濃度記録装置を個人に付けて個人曝露量を測定したり、また、これらの装置をある場所に設置して環境雰囲気濃度を測定することができる。自然拡散式ガス検知管６１の場合も一々環境雰囲気濃度を記録するということは使用者に負担となる。また、ある場所に設置して環境測定をする場合、常に使用者が近くにいるとは限らないため、環境雰囲気濃度を自動で記録できることが望ましい。
【００３８】
反射型フォトセンサ式濃度記録装置あるいは透過型フォトセンサ式濃度記録装置は変色層の長さを直読する必要がなく、自動にて変色層の長さすなわち環境雰囲気濃度を記録することができる。実際には、ある一定時間ごとに変色層の長さを測定し、時刻とともに環境雰囲気濃度を記録する。
【００３９】
なお、本実施の形態では、反射型フォトセンサ式濃度記録装置あるいは透過型フォトセンサ式濃度記録装置を用いたが、これらの代わりに、実施の形態５の可変抵抗式濃度記録装置を用いることも、もちろん可能である。
【００４０】
［実施の形態８］
本実施の形態による環境雰囲気濃度データ収集システムを図９に示す。この環境雰囲気濃度データ収集システムは、環境雰囲気濃度データ送信部７１と通信回線７２とデータセンタ７３とを備えている。
【００４１】
環境雰囲気濃度データ送信部７１は、実施の形態１〜７の環境雰囲気濃度記録装置である濃度記録装置７１Ａと通信装置７１Ｂとを備えている。通信装置７１Ｂは、濃度記録装置７１Ａのメモリに保存されている環境雰囲気濃度データを送信する。通信装置７１Ｂとしては、アナログモデム、ＡＤＳＬモデム、携帯電話、ＬＡＮ端末などである。
【００４２】
通信装置７１Ｂは、通信回線７２を経由してデータセンタ７３に接続されている。通信装置７１Ｂとデータセンタ７３とによって、実時間での環境雰囲気濃度測定が可能になる。具体的には、濃度記録装置７１Ａを場所や人に付け、濃度記録装置７１ＡのＩＤ、測定時刻、測定場所、環境雰囲気濃度などのデータを、通信回線７２を経由して、遠隔地のデータセンタ７３でモニタすることができる。
【００４３】
データセンタ７３のデータは、例えば契約ユーザがモニタすることも可能である。契約ユーザは、ある場所の環境雰囲気濃度や、ある人（例えば自分の子）がある雰囲気にどれだけ曝露されているかをモニタすることができる。
【００４４】
［実施の形態９］
本実施の形態による環境雰囲気濃度データ収集システムを図１０に示す。この環境雰囲気濃度データ収集システムは、環境雰囲気濃度データ送信部８１と近距離無線受信機８２とを備えている。
【００４５】
環境雰囲気濃度データ送信部８１は、実施の形態１〜７の環境雰囲気濃度記録装置である濃度記録装置８１Ａと近距離無線送信機８１Ｂとを備えている。近距離無線送信機８１Ｂは、濃度記録装置８１Ａのメモリに保存されている環境雰囲気濃度データを、無線で送信する。近距離無線受信機８２は、近距離無線送信機８１Ｂから、装置のＩＤ、測定時刻、測定場所、環境雰囲気濃度などのデータを受信しモニタする。近距離無線送信機８１Ｂや近距離無線受信機８２としては、微弱無線機、Ｂｌｕｅｔｏｏｔｈ無線機、ｓｓ小電力無線機などである。近距離無線送信機８１Ｂと近距離無線受信機８２との通信距離は数メートルである。
【００４６】
本実施の形態では、ある場所に配置した濃度記録装置８１Ａに近距離無線送信機８１Ｂを接続し、環境雰囲気濃度データ送信部８１から装置のＩＤ、測定時刻、測定場所、環境雰囲気濃度などのデータを、近距離無線受信機８２を携帯した人が受信しモニタする例である。近距離無線送信機８１Ｂは安価なため、環境雰囲気濃度データ送信部８１を環境中に高密度に配置するコストを低くすることができる。環境雰囲気濃度データ送信部８１を環境中に高密度に配置することにより、環境雰囲気濃度記録装置を携帯することなく、自分の周囲の環境雰囲気濃度データを収集することができる。
【００４７】
以上、本発明の実施の形態を詳述してきたが、具体的な構成は本実施の形態に限られるものではなく、本発明の要旨を逸脱しない範囲の設計の変更等があっても、本発明に含まれる。
【００４８】
【発明の効果】
以上、説明したように、本発明によれば、環境の影響によって変色層の長さが変化するセンサ例えばガス検知管において、その変色層の長さを反射型フォトセンサあるいは透過型フォトセンサにて自動的に読み取ることにより環境雰囲気濃度を自動にて記録することを可能とし、また、センサの変色層の長さを可変抵抗にて読み取ることにより環境雰囲気濃度を記録することを可能とする環境雰囲気濃度記録装置を提供することができる。
【００４９】
さらに、ある場所、移動体、人などに取り付けた環境雰囲気濃度記録装置の環境雰囲気濃度データを通信機能にて送信・データ収集することを可能とする環境雰囲気濃度データ収集システムを提供することができる。これにより、建築物内部、外部、あるいは移動物や人などの周囲の環境雰囲気濃度を記録し、リアルタイム測定をすることができる。
【図面の簡単な説明】
【図１】本発明の実施の形態１を示す構成図である。
【図２】図１のガス検知管を説明する説明図である。
【図３】本発明の実施の形態２を示す構成図である。
【図４】本発明の実施の形態３を示す構成図である。
【図５】本発明の実施の形態４に用いられるセンサアレイを説明する説明図である。
【図６】本発明の実施の形態５を示す構成図である。
【図７】本発明の実施の形態６に用いられる吸引式サンプラを説明する説明図である。
【図８】本発明の実施の形態７を示す構成図であり、（ａ）は反射型フォトセンサ式濃度記録装置を示す図であり、（ｂ）は透過型フォトセンサ式濃度記録装置を示す図である。
【図９】本発明の実施の形態８を示す構成図である。
【図１０】本発明の実施の形態９を示す構成図である。
【符号の説明】
１  ガス検知管
１Ａ  ガラス管
１Ｂ  検知部
１Ｂ１  変色層
２  反射型フォトセンサ
２Ａ  発光素子
２Ｂ  受光素子
３  電流―電圧変換回路
４  ＡＤ変換回路
５  メモリ
１１  センサアレイ
１１１〜１１ｎ  反射型フォトセンサ
１２１〜１２ｎ  電流―電圧変換回路
１３１〜１３ｎ  ＡＤ変換回路
１４  演算回路
２１  透過型フォトセンサ
２１Ａ  発光素子
２１Ｂ  受光素子
３１  センサアレイ
３１１〜３１ｎ  透過型フォトセンサ
４１  可変抵抗
４１Ａ  抵抗器
４１Ａ１  一端
４１Ａ２  他端
４１Ｂ  スライダ
４２  抵抗―電圧変換回路
５１  吸引式サンプラ
５１Ａ  取っ手
６１  自然拡散式ガス検知管
６２、６４  測定部
６３、６５  記録装置
７１  環境雰囲気濃度データ送信部
７１Ａ  濃度記録装置
７１Ｂ  通信装置
７２  通信回線
７３  データセンタ
８１  環境雰囲気濃度データ送信部
８１Ａ  濃度記録装置
８１Ｂ  近距離無線送信機
８２  近距離無線受信機
【図１】
2004340765.tif 000003
【図２】
2004340765.tif 000004
【図３】
2004340765.tif 000005
【図４】
2004340765.tif 000006
【図５】
2004340765.tif 000007
【図６】
2004340765.tif 000008
【図７】
2004340765.tif 000009
【図８】
2004340765.tif 000010
【図９】
2004340765.tif 000011
【図１０】
2004340765.tif 000012